(57)【特許請求の範囲】
【請求項１】
ディスクに記録されている信号を光学式ピックアップにより読み出すように構成されたディスクプレーヤーにおいて、トラッキングサーボをオフにした状態にてトラッキングエラー信号のレベルを測定するとともにその測定されたレベルに基づいて振動検出レベルＡを設定した後、トラッキングサーボをオンにするとともにトラッキングサーボのゲインを通常の信号読み出し動作を行う場合のゲインより低下させた状態にてトラッキングエラー信号のレベルＢを検出し、前記振動検出レベルＡと前記レベルＢとを比較することによって偏重心ディスクであるか否かの判定を行うようにしたことを特徴とするディスクプレーヤーの偏重心ディスク検知方法。
【請求項２】
トラッキングサーボをオンにした状態におけるトラッキングエラー信号のレベル測定をバンドパスフィルター回路を通過したトラッキングエラー信号にて行うようにしたことを特徴とする請求項１に記載の偏重心ディスク検知方法。
【請求項３】
偏重心ディスクの判定動作をディスクプレーヤーが備えた最高速再生状態にて行うようにしたことを特徴とする請求項１に記載の偏重心ディスク検知方法。
【請求項４】
偏重心ディスクであると判定されたとき、ディスクの再生速度を高速側より低速側へ切り換えるようにしたことを特徴とする請求項３に記載の偏重心ディスク検知方法。
【発明の詳細な説明】
【０００１】
【発明の属する技術分野】
本発明は、回転するディスクに記録されている信号を光学式ピックアップにより読み出すように構成されたディスクプレーヤーの偏重心ディスク検知方法に関する。
【０００２】
【従来の技術】
デジタル信号により音楽等の情報データが記録されているとともに線速度一定にて回転するディスクより信号を光学式ピックアップを用いて読み出すことによって再生動作を行うディスクプレーヤーが普及しており、斯かるディスクプレーヤーの代表的なものとしてＣＤプレーヤーがある。
【０００３】
斯かるディスクプレーヤーでは、光学式ピックアップより照射される光ビームをディスクの信号面に合焦させるフォーカシング制御動作と信号トラックに追従させるトラッキング制御動作が行われて信号の読み出し動作が行われるとともに読み出された信号の中の同期信号を利用してディスクの回転駆動動作を行うスピンドルモーターのロック動作、即ちディスクの回転速度を線速度一定にするための制御動作を行うように構成されている。
【０００４】
また、最近では、音楽等の音声信号ではなく、コンピュータに使用されるデータ信号が記録されているＣＤ−ＲＯＭと呼ばれるディスクを再生するＣＤ−ＲＯＭプレーヤーと呼ばれるディスクプレーヤーが普及している。
【０００５】
【発明が解決しようとする課題】
ＣＤ−ＲＯＭプレーヤーは、音声信号を再生するＣＤプレーヤーと異なり、信号の高速読み出し動作が要求されるため、最近では、規定の線速度に対して、４倍、６倍、８倍及び１０倍等の高速の線速度にてディスクを回転させて信号の読み出し動作を行うように構成されたディスクプレーヤーが商品化されている。
【０００６】
斯かるディスクプレーヤーに使用されるディスクの中には、重心が中心よりずれた偏重心ディスクと呼ばれるディスクがあり、斯かるディスクを高速回転状態にて再生した場合異常振動が発生し、異音を発生するという問題がある。
【０００７】
斯かる問題を解決するために偏重心ディスクであるか否かを検出する必要があるが、従来では斯かる検出動作を加速度センサー等の特別な素子を使用していたので、高価になるという問題があった。
【０００８】
本発明は、斯かる問題を解決した偏重心ディスクの検知方法を提供しようとするものである。
【０００９】
【作用】
本発明は、トラッキングサーボをオフにした状態にてトラッキングエラー信号のレベルを測定し、その測定されたレベルに基づいて振動検出レベルを設定し、トラッキングサーボをオンした状態にて測定されるトラッキングエラー信号のレベルと前記振動検出レベルとを比較することにより偏重心ディスクであるか否かの判定を行うようにしたものである。
【００１０】
【実施例】
図１は本発明の偏重心ディスクの検知方法を示すフローチャート、図２は本発明に係るディスクプレーヤーのブロック回路図である。
【００１１】
図２において、１はディスクＤに光ビームを照射し、該ディスクＤの信号面で反射される光ビームを受ける光検出器を有するとともに対物レンズ等が組み込まれている光学式ピックアップであり、ピックアップ送り用モーター（図示せず）の回転によってディスクＤの径方向へ移動されるように構成されている。２は前記光学式ピックアップ１に組み込まれている光検出器より得られるトラッキング制御動作を行うための信号、即ち３ビーム方式のピックアップにおいてＥＦ信号と呼ばれる信号が入力されるコンパレーターであり、出力端子にトラッキングエラー（ＴＥ）信号を出力するように構成されている。
【００１２】
３は前記コンパレーター２より出力されるトラッキングエラー信号が入力されるサーボ信号処理回路であり、前記光学式ピックアップ１より照射される光ビームをディスクＤ上のトラックに追従させるトラッキング動作を行う作用を成すものである。４は前記サーボ信号処理回路３によるトラッキングサーボ動作のゲインを制御するサーボゲイン制御回路である。
【００１３】
５はディスクプレーヤーにおける各動作を制御するシステム制御回路であり、前記サーボ信号処理回路３及びサーボゲイン制御回路４の制御動作を行うとともに後述する種々の動作を制御するように構成されている。６は前記コンパレーター２より出力されるトラッキングエラー信号が入力されるとともにその信号のレベル、例えばピークからピークまでの信号レベルを測定するトラッキングエラー信号レベル測定回路であり、その測定された値は前記システム制御回路５に入力されるように構成されている。７は前記トラッキングエラー信号レベル測定回路６により測定された信号レベルの値に応じて偏重心ディスクの判定を行う振動検出レベルＡを設定する比較レベル設定回路である。
【００１４】
８は前記コンパレーター２より出力されるトラッキングエラー信号が入力されるバンドパスフィルター回路であり、そのフィルター特性は、偏重心ディスクの場合に発生する高調波成分を取り出すために有効な特性になるように設定されている。９は前記バンドパスフィルター回路８を通過したトラッキングエラー信号のレベルＢと前記比較レベル設定回路７にて設定された振動検出レベルＡとを比較する比較回路であり、その出力信号は前記システム制御回路５に入力されるように構成されている。
【００１５】
斯かる回路構成において、再生動作を開始させる操作を行うと、まず光学式ピックアップ１より照射される光ビームをディスクＤの信号面に合焦させるフォーカシング制御動作を行い、フォーカスがとれるとスピンドルモーターを回転させてディスクＤを回転させるように構成されている。また、前記スピンドルモーターの回転駆動動作によってディスクＤの回転速度が上昇し、その回転速度がロック可能な回転速度になると、ディスクＤに記録されている信号トラックに光ビームを追従させる制御動作がサーボ信号処理回路３によって行われ、ディスクＤからの信号の読み出し動作が開始される。そして、該ディスクＤより読み出される信号の中から同期信号を検出し、該同期信号を利用してスピンドルモーターの回転速度のロック動作、即ちディスクＤの回転速度を線速度一定に制御する動作を行うように構成されている。
【００１６】
また、ディスクＤに記録されている信号を規定の速度の数倍の速度にて再生動作を行う操作が行われると、スピンドルモーターの回転駆動動作が高速にて行われるとともに光学式ピックアップ１による信号の読み出し動作を行うための制御動作及び信号処理動作がその再生速度に応じて行われるように構成されている。そして、ディスクプレーヤーにディスクＤを装着させたとき、ディスクＤに記録されている信号の読み取り動作を最も高速の再生動作を行う状態にした後、後述する偏重心ディスクの判定動作を行うように構成されている。
【００１７】
以上の如く、本発明に係るディスクプレーヤーは構成されているが、次に本発明の要旨である偏重心ディスクの検知方法について、図１に示したフローチャートに基づいて説明する。
【００１８】
本発明の偏重心ディスクの検知動作は、次のように行われる。ディスクＤをディスクプレーヤーに装着させると、まずディスクプレーヤーをディスクプレーヤーが備えた最高速度による再生動作を行う状態にする（ステップＡ）。スピンドルモーターの回転駆動動作によってディスクＤは回転速度が増大させられるが、斯かる動作に並行して光学式ピックアップ３のフォーカス制御動作及びトラッキング制御動作が行われる。斯かる動作が行われ、ディスクＤに記録されている同期信号の検出利用によるスピンドルモーターの制御動作によってディスクＤは規定の線速度の所定倍数の線速度にて回転駆動されることになる。
【００１９】
ディスクＤが規定の線速度の所定倍数の線速度にて回転駆動される状態になると、該ディスクＤの所定の位置に記録されているＴＯＣデータの読み取り動作が行われ、該データが読み取られたか否かの判定が行われる（ステップＢ）。ステップＢでＴＯＣデータが読み取れなかった場合には、ディスクＤは正常に再生動作を行うことが出来ないエラーディスクであると判定される（ステップＣ）。エラーディスクであると判定されると、そのディスクの再生動作は行われないので、ディスクＤの排出動作やエラー表示動作が行われる。また、高速再生動作は行うことが出来ないが低速再生動作であれば再生動作を行うことが出来るディスクである場合もあるため、低速再生状態に切り換えてステップＢからの動作を行うように構成することも出来る。
【００２０】
ステップＢにおけるＴＯＣデータの読み取り動作は高速再生状態にて行われるが、斯かる再生動作はサーボゲイン制御回路４により設定されるサーボゲインを所定の大きさにすることによって行われる。斯かる動作によって信号の読み取り動作が行われることによって、装着されたディスクＤは信号の読み取り動作を高速にて行うことが出来る信号読み取り可能ディスク、即ち傷等によって信号が読み取れないディスクではないと判定され、偏重心ディスクの判定を行うためのステップに移行する。
【００２１】
斯かる偏重心ディスクの判定を行うための動作は、先ずディスクＤの反射率のバラツキや光学式ピックアップ１の特性にバラツキがあるため、トラッキングエラー信号のピークからピークまでの信号レベルの測定がトラッキングエラー信号レベル測定回路６によって行われるが、この測定動作は、トラッキングサーボをオフにした状態で行われる（ステップＤ）。即ち、トラッキングサーボがオフの状態では、光学式ピックアップ１より照射される光ビームが信号トラックに追従しないので、最も大きなレベルのトラッキングエラー信号を得ることが出来る。
【００２２】
前記トラッキングエラー信号レベル測定回路６により測定されたトラッキングエラー信号のレベルは、システム制御回路５に入力されてメモリー回路に記憶されるとともにその値に応じて振動検出レベルＡが比較レベル設定回路７に設定される（ステップＥ）。斯かる振動検出レベルＡの設定動作が行われると、トラッキングサーボをオン状態にするとともにサーボゲイン制御回路４の働きによってサーボのゲインを低下させる（ステップＦ）。
【００２３】
サーボのゲインを低下させると、トラッキングサーボ制御動作が弱くなるため、コンパレーター２より出力されるトラッキングエラー信号のレベルが通常のトラッキングサーボ動作を行っている場合に比較して大きくなる。斯かるトラッキングエラー信号は、バンドパスフィルター回路８を通して比較回路９に入力され、そのトラッキングエラー信号のレベルＢと比較レベル設定回路７に設定されている振動検出レベルＡとが比較回路９によって比較される（ステップＧ）。
【００２４】
前記比較回路９による比較動作が行われ、その出力信号がシステム制御回路５に入力され、その信号に基づいてＢ＞Ａであるか否かの判定が行われる（ステップＨ）。ステップＨでＢ＞Ａではないと判定されると、トラッキングエラー信号のレベルＢが振動検出レベルＡより小さいため、ディスクＤは偏重心ディスクではないと判定される（ステップＩ）。ディスクＤが偏重心ディスクではないと判定されると、サーボゲイン制御回路４の制御動作が行われ、トラッキングサーボのゲインは、高速再生動作を行うために必要なゲインに復帰設定される。従って、コンピュータ等より要求される再生動作を行うことが出来る。
【００２５】
ステップＨでＢ＞Ａであると判定されると、トラッキングエラー信号のレベルＢが振動検出レベルＡより大きいため、ディスクＤは偏重心ディスクであると判定される（ステップＪ）。ディスクＤが偏重心ディスクであると判定されると、高速再生動作を行った場合に異常振動が発生して異音を発するので、ディスクプレーヤーを低速再生状態にする。このようにディスクＤが偏重心ディスクの場合には、ディスクプレーヤーを低速再生状態にするが、斯かる状態に切り換えられたとき、トラッキングサーボのゲインは、低速再生動作を行うために必要なゲインに設定されることになる。
【００２６】
本実施例では、偏重心ディスクの検知動作を行う場合にサーボゲインを低下させるようにしたが、サーボの周波数特性を回転数の高調波成分に対して抑圧力が小さい特性になるように変化させるように構成すると、偏重心ディスクの判定動作を行うために検出されるトラッキングエラー信号のレベルを大きくすることが出来るので、偏重心ディスクの検知動作をより簡単に行うことが出来るように構成することが出来る。
【００２７】
【発明の効果】
本発明は、トラッキングサーボをオフにした状態にてトラッキングエラー信号のレベルを測定し、その測定されたレベルに基づいて振動検出レベルを設定するようにしたので、使用されるディスクの反射率のバラツキや光学式ピックアップの出力特性等にバラツキがあっても現時点、即ち使用する時点における振動検出レベルを最適な値に設定することが出来、その結果偏重心ディスクの検知動作を正確に行うことが出来る。そして、本発明は、設定された振動検出レベルと比較されて偏重心ディスクであるか否かの判定に使用されるトラッキングエラー信号のレベルをトラッキングサーボのゲインを通常の読み出し動作を行う場合のゲインより低下させた状態にて測定するようにしたので、使用されるディスクが偏重心ディスクの場合にその回転に伴って生成されるトラッキングエラー信号のレベルが大きくなる。それ故、本発明によれば、設定された振動検出レベルと比較されるトラッキングエラー信号のレベル検出動作を容易に行うことが出来るので、使用されるディスクが偏重心ディスクであるか否かの検知動作を正確に行うことが出来る。
【００２８】
また、本発明は、トラッキングエラー信号を利用して偏重心ディスクの検知動作を行うようにしたので、加速度センサーを利用して偏重心ディスクの検知動作を行う方法と比較して安価になるという効果を有している。
【００２９】
そして、本発明は、偏重心ディスクの判定動作をディスクプレーヤーが備えた最高速再生状態にて行うようにしたので、即ち偏重心ディスクによる異常振動が発生しやすい状態にて判定動作を行うようにしたので、偏重心ディスクであるか否かの判定動作を速やかに行うことが出来る。
【００３０】
更に、本発明は、偏重心ディスクの場合に多く発生する高調波成分を取り出すバンドパスフィルター回路を設け、該フィルター回路を通過した信号のレベルと振動検出レベルとを比較するようにしたので、偏重心ディスクの回転に伴うトラッキングエラー信号を容易に選択することが出来、その結果偏重心ディスクの検知動作を容易に行うことが出来る。
【００３１】
また、本発明は、偏重心ディスクであると判定された場合には、ディスクプレーヤーを高速再生動作を行う状態より低速再生動作を行う状態に切り換えるようにしたので、ディスクの再生動作が行われている状態で異常振動が発生することはなく、異音の発生を防止することが出来る。
【図面の簡単な説明】
【図１】本発明の偏重心ディスクの検知方法を示すフローチャートである。
【図２】本発明に係るディスクプレーヤーのブロック回路図である。
【符号の説明】
Ｄ        ディスク
１        光学式ピックアップ
３        サーボ信号処理回路
４        サーボゲイン制御回路
５        システム制御回路
６        トラッキングエラー信号レベル測定回路
７        比較レベル設定回路
８        バンドパスフィルター回路
９        比較回路
【図１】
0003670806.tif 000002
【図２】
0003670806.tif 000003